(57)【要約】【課題】ユーザが事前登録したユーザ情報と広告主が広告配信対象として指定したユーザ属性が一致する場合に、該当するユーザが所持する携帯端末の現在位置が配信対象地域であれば、その端末にのみ広告を所定のタイミングで配信するサービスでは、配信タイミングおよびユーザが知りたい広告情報をユーザ自身が指定できない。【解決手段】ユーザ登録およびＧＰＳの機能を利用した広告管理提示システムであって、ユーザが知りたい広告情報に係る検索条件を直接システムに登録すること、および、ユーザが知りたい広告情報をそれに関する位置情報と併せ持つことにより、検索の自動化を図るとともに、ユーザが知りたい広告情報をユーザの自発的なタイミングでかつユーザの現在位置情報を考慮して提供することを可能にする。【選択図】図１
2014191373.tif 000002
【特許請求の範囲】
【請求項１】
ユーザ携帯端末とインターネットを介して接続される広告管理提示システムであって、
ユーザ識別情報とユーザが選択した広告情報を識別する広告ＩＤを格納するユーザ情報テーブルと、
広告情報を識別する広告ＩＤと当該広告に関係する位置情報を含む当該広告に関する属性情報を格納する広告情報テーブルと、
前記広告管理提示システムから前記インターネットを介して前記ユーザ携帯端末にダウンロードされる広告提示部と、
前記ユーザ携帯端末の前記広告提示部を通して入力する前記ユーザ識別情報を前記ユーザ情報テーブルに登録するユーザ登録部と、
前記ユーザ携帯端末の前記広告提示部を通して検索する前記広告情報テーブルの検索結果から前記ユーザ情報テーブルに前記広告ＩＤを登録する広告登録部と、
前記ユーザ携帯端末の前記広告提示部を通して送信される当該ユーザ携帯端末の現在位置情報およびユーザ入力情報により、当該現在位置情報から所定範囲内の位置情報を持ちかつ前記ユーザ情報テーブルに当該ユーザが登録した広告ＩＤを持つ広告情報を前記広告情報テーブルから検索する広告検索部とから構成され、
前記広告提示部は、前記ユーザ携帯端末からユーザの入力情報および当該ユーザ携帯端末の現在位置情報の少なくとも一方を前記広告管理提示システムに送信するとともに、前記広告管理提示システムから送信される広告情報を前記ユーザ携帯端末に表示させる機能を有する
ことを特徴とする広告管理提示システム。
【請求項２】
請求項１に記載の広告管理提示システムであって、
前記広告情報テーブルは、前記広告に関する属性情報として、広告が適用される開始日時および終了日時を格納し、
前記広告検索部は、前記ユーザ携帯端末に表示させる前記広告情報を検索する条件として、広告が適用される前記開始日時から前記終了日時までの範囲内か否かの判断をする
ことを特徴とする広告管理提示システム。
【請求項３】
請求項１または２に記載の広告管理提示システムであって、
前記広告情報を識別する広告ＩＤは、広告主名と、広告名、商品名およびイベント名のいずれかを基に生成する
ことを特徴とする広告管理提示システム。
【請求項４】
請求項１〜３のいずれか１項に記載の広告管理提示システムであって、
前記ユーザ識別情報は、ユーザＩＤおよび当該ユーザのパスワードである
ことを特徴とする広告管理提示システム。
【請求項５】
ユーザ識別情報とユーザが選択した広告情報を識別する広告ＩＤを格納するユーザ情報テーブルと、広告情報を識別する広告ＩＤと当該広告に関係する位置情報を含む当該広告に関する属性情報を格納する広告情報テーブルとを有し、ユーザ携帯端末とインターネットを介して接続される広告管理提示システムによる広告提示方法であって、
前記ユーザ携帯端末から入力した前記ユーザ識別情報を前記ユーザ情報テーブルに登録する第１のステップと、
前記ユーザ携帯端末から検索した前記広告情報テーブルの検索結果から前記ユーザ情報テーブルに前記広告ＩＤを登録する第２のステップと、
前記ユーザ携帯端末から当該ユーザ携帯端末の現在位置情報およびユーザ入力情報を前記広告管理提示システムに送信する第３のステップと、
前記第３ステップで送信される前記現在位置情報および前記ユーザ入力情報により前記現在位置情報から所定範囲内の位置情報を持ちかつ前記ユーザ情報テーブルに当該ユーザが登録した広告ＩＤを持つ広告情報を前記広告情報テーブルから検索する第４のステップと、
前記第４ステップによる検索結果を前記ユーザ携帯端末に送信して表示させる第５のステップと
を有することを特徴とする広告提示方法。
【請求項６】
請求項５に記載の広告提示方法であって、
前記広告情報テーブルは、前記広告に関する属性情報として、広告が適用される開始日時および終了日時を格納するものであり、
前記第４のステップは、前記第３ステップで送信される前記現在位置情報および前記ユーザ入力情報により前記現在位置情報から所定範囲内の位置情報を持ちかつ前記ユーザ情報テーブルに当該ユーザが登録した広告ＩＤを持つ広告情報を前記広告情報テーブルから検索することに加えて、広告が適用される前記開始日時から前記終了日時までの範囲内か否かを判断するステップである
ことを特徴とする広告提示方法。
【発明の詳細な説明】
【技術分野】
【０００１】
本発明は、ユーザ登録およびＧＰＳの機能を利用した広告管理提示システムに関し、ユーザが知りたい広告情報を手軽に携帯端末等に提示するシステムおよび方法を提供する。
【背景技術】
【０００２】
ユーザが居場所や時間等に捉われることなく、手軽にスマートフォン等の携帯電話や携帯情報端末（ＰＤＡ）を利用して広告を取得する方法としては、インターネットを通じて検索したサイトを閲覧する方法、または、広告主から配信されるメールを受信する方法などがある。
この内、閲覧したいサイトを検索するために検索システムを利用する場合、検索システムに対して所定の検索条件をその都度入力しなければならず、例えば、定期的に特定の情報（例えば、販売店の広告情報など）を知りたい場合であっても、通常の検索を利用するのであれば検索条件をその都度入力することは避けられなかった。
また、広告主から配信されるメールを受信する場合、ユーザが知りたい広告等の情報が地域性を有するものであったとしても、ユーザの位置情報との関連を考慮したものは期待できない状況にあった。
以上の点を解消とする技術として、例えば、特許文献１には、携帯端末のユーザ情報および広告登録端末により登録された広告情報を、広告の配信対象となるユーザの属性および現在の位置情報と対応付けて記憶装置に記憶し、携帯端末から接続要求があると、その携帯端末を所持するユーザのユーザ情報に適した広告情報の中から、ユーザの現在位置に対応する広告情報を選出し、その選出した広告情報を携帯端末に送信する広告配信システムが示されている。
【先行技術文献】
【特許文献】
【０００３】
【特許文献１】特開２００２−３６６８４３号公報
【発明の概要】
【発明が解決しようとする課題】
【０００４】
先行技術文献として提示した特許文献１に開示の広告配信システムでは、ユーザが事前登録したユーザ情報と広告主が広告配信対象として指定したユーザ属性が一致する場合に、該当するユーザが所持する携帯端末の現在位置を検知し、該現在位置が配信対象地域であれば該端末にのみ広告を所定のタイミングで配信するものであるが、該広告を配信するタイミングは、新規の広告主が広告対象登録を行った時や予め設定した指定配信日時であって、あくまでもシステム側主導で配信されるものである。そのため、ユーザは予期してしない時点に配信を受けるものであり、また、知りたい広告情報をユーザ自らが直接指定できるものではなく、ユーザが登録した属性と広告主が指定した属性とが一致するものが配信対象として選ばれるものである。
【課題を解決するための手段】
【０００５】
本発明は、ユーザが知りたい広告情報に係る検索条件を直接システムに登録すること、および、ユーザが知りたい広告情報をそれに関する位置情報と併せ持つことにより、検索の自動化とユーザの現在位置情報を考慮したユーザへの広告情報をユーザの自発的なタイミングで提供を受けることを可能にする特徴を有するものである。
【発明の効果】
【０００６】
本発明によれば、ユーザは、検索条件入力の手間を省略可能となり、また、検索条件に現在の位置情報を自動的に付加することで、ユーザは情報受信可能なエリアに存在していればそのエリアに関連した情報の提供を受けることができるので、情報提供の取捨選択が可能となり、簡便で効果的な情報提供に寄与するという効果を奏する。
【図面の簡単な説明】
【０００７】
【図１】図１は、本発明に係るシステムの全体構成を示す図である。
【図２】図２は、ユーザ登録部による処理のフローチャートを示す図である。
【図３】図３は、広告登録部による処理のフローチャートを示す図である。
【図４】図４は、広告検索部による処理のフローチャートを示す図である。
【図５】図５は、広告提示部による処理のフローチャートを示す図である。
【図６】図６は、ユーザ情報テーブルの構成図である。
【図７】図７は、広告情報テーブルの構成図である。
【図８】図８は、ユーザ情報テーブルのデータ例を示す図である。
【図９】図９は、広告情報テーブルのデータ例を示す図である。
【発明を実施するための形態】
【０００８】
以下、本発明の実施形態として、ユーザが、ユーザ携帯端末としてＧＰＳ機能を内臓したスマートフォン等の携帯電話や携帯情報端末（ＰＤＡ）を使用し、インターネットを介してシステム管理会社等が管理／運営するサーバ等の処理装置上に構築された広告管理提示システムにアクセスしてサービスの提供を受ける形態を実施例とするもので、以下に当該実施例を説明する。
【実施例】
【０００９】
図１は、本発明に係るシステムに関する全体構成を示す図である。
本発明に係る広告管理提示システム（３００）は、システム管理会社等が管理／運営するサーバ等の処理装置上に構築され、インターネット（１００）を介して該処理装置にアクセスするユーザ携帯端末（２００）に対して、本システムによるサービスが提供される。
【００１０】
広告管理提示システム（３００）は、ユーザ登録部（３０１）、広告登録部（３０２）、広告検索部（３０３）および広告提示部（２０１）と、ユーザ情報テーブル（４００）および広告情報テーブル（４０１）とで構成する。
この内、広告提示部（２０１）は、ユーザ携帯端末（２００）に、広告管理提示システム（３００）からインターネット（１００）を介したダウンロードによりインストールされることにより機能する。そして、広告提示部（２０１）は、ユーザ携帯端末（２００）上でのユーザ操作に応じて、処理装置側にある広告管理提示システム（３００）と必要データの送受信を行う。
【００１１】
また、ユーザ携帯端末（２００）は、ＧＰＳ機能を内臓したスマートフォン等の携帯電話や携帯情報端末（ＰＤＡ）であり、上記のように、該ユーザ携帯端末（２００）にダウンロードによりインストールした広告提示部（２０１）を使用して、ユーザは広告管理提示システム（３００）を利用し、サービスの提供を受けることができる。
【００１２】
ユーザ情報テーブル（４００）には、図６に示す構成図のように、項目として、ユーザＩＤ、パスワードおよび広告情報の識別子として広告ＩＤを格納する。なお、図６に示す各項目の説明についてはその一例を示したもので、それに限定されるものではない。また、格納する項目としてはこれらに限らず、必要に応じてユーザに関する他の情報を加えても差し支えない。
そして、当該ユーザ情報テーブル（４００）は、ユーザ登録部（３０１）により作成更新されるものである。
【００１３】
広告情報テーブル（４０１）には、図７に示す構成図のように、項目として、広告ＩＤ、広告主名、広告名、広告に関係する位置情報、該広告が適用される開始日時および終了日時を格納する。なお、図７に示す各項目の説明についてはその一例を示したもので、それに限定されるものではない。また、格納する項目としても図７に掲げたものに限らず、必要に応じて広告に関する他の情報を加えても差し支えない。
そして、当該広告情報テーブル（４０１）は、広告主等から作成依頼を受けるなどして別途作成するものであるが、その作成については本発明の範囲外に係ることからここでは省略する。また、当該広告情報テーブル（４０１）の更新は、随時行われるものであり、その頻度やタイミングは任意である。
【００１４】
図２は、ユーザ登録部（３０１）によるユーザ登録に係る処理のフローチャートを示す。
ユーザ登録部（３０１）は、ユーザから広告管理提示システム（３００）に対してユーザ登録に関するアクセスがなされた時に、ユーザ携帯端末（２００）の広告提示部（２０１）から受信した入力情報を確認し（Ｓ５００）、ユーザが広告管理システム（３００）に登録済みか否かを判断する（Ｓ５０１）。未登録の場合（Ｙｅｓ）には、ユーザ情報テーブル（４００）を更新してユーザ登録を行い（Ｓ５０２）、登録済みの場合（Ｎｏ）には、処理を終了する。登録するユーザ情報は、図６に従い、ユーザを識別するためのユーザＩＤおよびパスワードである。
【００１５】
図３は、広告登録部（３０２）による広告登録に係る処理のフローチャートを示す。
広告登録部（３０２）は、ユーザ携帯端末（２００）の広告提示部（２０１）から呼び出されると、まず、ユーザ情報テーブル（４００）から該アクセスのあったユーザのユーザ情報を取得する（Ｓ６００）。
【００１６】
次に、ユーザの操作が広告登録のための広告検索か否か判断する（Ｓ６０１）。広告登録のための広告検索をする場合（Ｙｅｓ）は、該広告登録のための検索条件（例えば、広告主名や広告名）を入力し（Ｓ６０２）、広告情報テーブル（４０１）を検索する（Ｓ６０３）。広告登録のための検索をしない場合（Ｎｏ）は、処理を終了する。
【００１７】
検索結果が１件以上の場合、該検索結果をユーザ携帯端末（２００）の広告提示部（２０１）に送信し提示する（Ｓ６０５）。次に、提示した該検索結果からユーザが選択した広告情報を受信し、広告登録をするか否か判断（Ｓ６０６）する。広告登録をする場合（Ｙｅｓ）は、ステップ６００（Ｓ６００）で取得したユーザ情報を基に、ユーザ情報テーブル（４００）の該当するユーザのレコード（カラム）に該広告登録する広告ＩＤを書き込むことによりユーザ情報を更新し（Ｓ６０７）、処理を終了する。広告登録をしない場合（Ｎｏ）は、広告登録のための広告検索の判断ステップ（Ｓ６０１）に戻る。
【００１８】
図４は、広告検索部（３０３）による広告情報の位置検索処理に係る処理のフローチャートを示す。
広告検索部（３０３）は、ユーザ携帯端末（２００）の広告提示部（２０１）から呼び出され、該広告提示部（２０１）からユーザ携帯端末（２００）のＧＰＳ機能より取得した現在位置情報とユーザが入力した半径の値を受け取り、該現在位置情報からユーザが入力した半径に位置する地域の緯度経度を算出する（Ｓ８００）。
【００１９】
続いて、広告情報テーブル（４０１）から前ステップ（Ｓ８００）で算出した緯度経度内の位置情報を持ち、かつ、ユーザ情報テーブル（４００）に登録された当該ユーザのレコード（カラム）に登録された広告ＩＤを持つ広告情報を検索する（Ｓ８０１）。この検索により取得した広告情報を呼び出し元であるユーザ携帯端末（２００）の広告提示部（２０１）に返信する。
【００２０】
図５は、広告提示部（２０１）による広告検索結果を提示する処理のフローチャートを示す。
広告提示部（２０１）は、ユーザ情報テーブル（４００）からユーザ情報を取得する（Ｓ７００）。広告検索を行うかどうかの確認（Ｓ７０１）をし、広告検索を行う場合（Ｙｅｓ）は、ユーザ携帯端末（２００）のＧＰＳ機能から取得する現在位置情報とユーザが入力した半径値を、広告管理提示システム（３００）に送信し（Ｓ７０２）、続いて、広告検索部（３０３）を呼び出すと、該広告検索部（３０３）による図４のＳ８００およびＳ８０１の処理が実行される（Ｓ７０３）。
【００２１】
続いて、広告検索部（３０３）からの検索結果の判断をする（Ｓ７０４）。該検索結果が１件以上の場合（Ｙｅｓ）は、該検索結果の広告情報をユーザ携帯端末（２００）に表示し（Ｓ７０５）、処理を終了する。該検索結果が０件の場合（Ｎｏ）は、広告検索を続けて行うか否かを判断し（Ｓ７０１）、広告検索しない場合（Ｎｏ）には処理を終了する。
【００２２】
次に、本発明を使用して、ユーザ登録、ユーザが知りたい広告情報の登録および登録した広告情報の提示、それぞれの処理の流れについて、以下順に説明する。
【００２３】
ユーザは、事前の準備として、ユーザ携帯端末（２００）に対して、インターネット（１００）を介して広告管理提示システム（３００）から広告提示部（２０１）をインストールする。
【００２４】
まず、ユーザ登録処理の流れについて説明する。ユーザは、インストールした広告提示部（２０１）を使用して広告管理提示システム（３００）にインターネット（１００）を介してアクセスする。次に、ユーザＩＤとパスワードを入力してユーザ認証を行った後に、ユーザ登録部（３０１）から図２のフローチャートに従ってユーザ登録を実施する。ユーザ登録後のユーザ情報テーブル（４００）のデータ例として、図８に示すように、図６の項目説明にある形式でユーザＩＤおよびパスワードが格納されている。
【００２５】
次に、ユーザが知りたい広告情報の登録処理の流れについて説明する。ユーザは、知りたい広告情報を、広告管理提示システム（３００）の広告登録部（３０２）を利用して、ユーザ情報テーブル（４００）に登録する。当該広告情報登録は、図３のフローチャートに従った処理である。当該広告情報登録後、ユーザ情報テーブル（４００）のレコードは、図８に示すように、登録されたユーザ毎に広告ＩＤを持つことになる。該広告ＩＤは、１つのユーザＩＤにつき複数持つことを可能とし、各広告ＩＤは、例えば図６の項目説明にあるようにカンマ区切りで格納する。
【００２６】
次に、ユーザが登録した広告情報の提示処理の流れについて説明する。当該広告情報提示処理は、図５のフローチャートに従った処理である。ユーザは、自らの居場所において知りたい広告情報を得るために、広告提示部（２０１）からユーザ携帯端末（２００）のＧＰＳ機能による現在位置情報と自ら入力した半径値を広告管理提示システム（３００）に送信する。この送信データを受信した広告検索部（３０３）は、広告情報テーブル（４０１）から、受信した現在位置情報から入力のあった半径内に存在し、かつユーザ情報テーブル（４００）に登録した広告ＩＤを持つものを検索する。
【００２７】
また、広告情報テーブル（４０１）には、図７に示すように、広告が適用される開始日時および終了日時を格納しているから、上記検索に当たっては、その開始日時および終了日時のデータが格納されている広告情報については、ユーザが当該広告情報提示処理にアクセスした日時と比較することにより、適用期間内の広告情報であるかどうかの判別をすることができる。
【００２８】
広告管理システム（３００）は、該検索結果をユーザ携帯端末（２００）の広告提示部（２０１）へ送信する。それを受信した広告提示部（２０１）は、ユーザに受信した広告情報を提示する。図９に広告情報テーブル（４０１）のデータ例を示すが、図７の項目説明にある形式で各項目のデータが格納されている。
【００２９】
なお、ユーザに実際の広告の中身のデータ（例えば、画像データ）を提示する点に関しては、例えば、広告情報テーブル（４０１）の広告ＩＤからそれに対応する広告の中身のデータを別途引用するような形式（例えば、リンク付け等）により取得することで対応することができる。
【００３０】
また、広告情報テーブル（４０１）の広告ＩＤの作成単位としては、広告主（例えば、販売店）の広告名ごとに対応して作成したものを図７および図９において例示したが、これに限定されるものではなく、例えば、広告主（販売店）が扱っている商品単位や広告主（販売店）が行うイベント単位などを作成単位として広告ＩＤを付与する形態を採ることも可能である。
【産業上の利用可能性】
【００３１】
本発明によれば、ユーザが個別に広告情報の提供サービスを受けるに当たって、ユーザは知りたい広告情報を検索し一度登録しておけば、その後はそれについて繰り返し検索する手間を省けるようになり、また、ユーザの現在位置を考慮した情報提供を可能にする。
【符号の説明】
【００３２】
１００  インターネット
２００  ユーザ携帯端末
２０１  広告提示部
３００  広告管理提示システム
３０１  ユーザ登録部
３０２  広告登録部
３０３  広告検索部
４００  ユーザ情報テーブル
４０１  広告情報テーブル
【図１】
2014191373.tif 000003
【図２】
2014191373.tif 000004
【図３】
2014191373.tif 000005
【図４】
2014191373.tif 000006
【図５】
2014191373.tif 000007
【図６】
2014191373.tif 000008
【図７】
2014191373.tif 000009
【図８】
2014191373.tif 000010
【図９】
2014191373.tif 000011